(57)【要約】【課題】設置作業や撤去作業や自動車の乗り入れなどを容易に行うことができるコンテナシアター１００などを提供する。【解決手段】  自動車２００の乗り入れが可能な開口１０−１及び開口１０−１から乗り入れた自動車２００を収容可能な１つの空間１０−２を具備する１つのボックス１０と、１つのボックス１０の内側壁に取り付けられたスクリーン２０と、１つのボックス１０の天井に取り付けられたプロジェクタ３０と、１つのボックス１０が具備する開口１０−１を遮蔽するシャッター４０と、を備え、１つのボックス１０は、自動車２００を収容可能な１つの空間１０−２を形成する２つの２０フィートコンテナ１１、１２により構成されている。【選択図】図１
2008208698.tif 000002
【特許請求の範囲】
【請求項１】
開口及び１つの空間を具備する１つのボックスと、前記１つのボックスが具備する開口を遮蔽する遮蔽手段と、を備え、
前記１つのボックスは、１２フィートコンテナが２つ以上組み合わせられて、２０フィートコンテナが２つ以上組み合わせられて、または３０フィートコンテナが２つ以上組み合わせられて、前記１つの空間を形成するように構成されている、
ことを特徴とするコンテナボックス。
【請求項２】
開口及び１つの空間を具備する１つのボックスと、前記１つのボックスが具備する開口を遮蔽する遮蔽手段と、を備え、
前記１つのボックスは、１２フィートコンテナ、２０フィートコンテナ、および３０フィートコンテナのうちの２種以上が組み合わせられて、前記１つの空間を形成するように構成されている、
ことを特徴とするコンテナボックス。
【請求項３】
シアター、倉庫、ガレージ、または店舗である請求項１または請求項２に記載のコンテナボックス。
【発明の詳細な説明】
【技術分野】
【０００１】
本発明は、コンテナを利用したボックスに関する。
【背景技術】
【０００２】
従来、ガレージを利用したガレージシアターが提案された（特許文献１、特許文献２参照）。これらのガレージシアターでは、様々な機器を取り付けたガレージに自動車を乗り入れて、映像を鑑賞できるようにされている。
【０００３】
また、従来、椅子やテーブルなどを１つのコンテナ内に設置して、１単位の空間として利用する発明が提案された（特許文献３、特許文献４）。
【０００４】
さらに、従来、複数のコンテナを上下左右に配置して、複数の小室を有する設備を構成する発明が提案された（特許文献５、特許文献６）。
【特許文献１】特開平６−５７９７８号公報
【特許文献２】実開平３−２９６６４号公報
【特許文献３】特開２００４−１３５７８９号公報
【特許文献４】特開２００１−２８８９１１号公報
【特許文献５】特開２００４−２５１０９７号公報
【特許文献６】特開平５−５９８３４号公報
【発明の開示】
【発明が解決しようとする課題】
【０００５】
しかしながら、特許文献１や特許文献２に記載のガレージシアターは、屋根付きのガレージを利用するものであるところ、このようなガレージの形状や構成などは千差万別である。したがって、特許文献１や特許文献２に記載のガレージシアターは、個々のガレージに応じて構築されるものであって汎用性に欠け、設置作業や撤去作業などを容易に行うことができないという問題があった。
【０００６】
また、海上コンテナは、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）の下、全長４０フィートと全長２０フィートのものに大別されるところ、全長４０フィートのコンテナを用いて特許文献３や特許文献４に記載の発明を実施した場合、コンテナの搬送・設置作業が大掛かりなものとなり、設置作業や撤去作業などが容易でないという問題があった。
他方で、全長２０フィートのコンテナを用いて特許文献３や特許文献４に記載の発明を実施した場合は、形成される１単位の空間が狭すぎて、自動車や台車などをコンテナに容易に乗り入れることができないという問題があった。
【０００７】
また、鉄道コンテナは、ＪＩＳ（ＪＡＰＡＮＥＳＥ  Ｉｎｄｕｓｔｒｉａｌ  Ｓｔａｎｄａｒｄ、日本工業規格）の下、全長１２フィート、全長２０フィート、全長３０フィートのものに大別されるところ、これらのコンテナを用いて特許文献３や特許文献４に記載の発明を実施した場合も、形成される１単位の空間が狭すぎて、自動車や台車などをコンテナに容易に乗り入れることができないという問題があった。
【０００８】
さらに、特許文献５や特許文献６に記載の設備は、耐震対策などのために半恒久的に土地に定着させる必要があり、設置作業や撤去作業などが容易でないという問題があった。
【０００９】
そこで、本発明は、設置作業や撤去作業を容易に行うことができ、また、自動車や台車などの乗り入れなどを容易に行うことができるコンテナボックスを提供することを目的とする。
【課題を解決するための手段】
【００１０】
本発明によれば、上記課題は、次の手段により解決される。
【００１１】
本発明は、開口及び１つの空間を具備する１つのボックスと、前記１つのボックスが具備する開口を遮蔽する遮蔽手段と、を備え、前記１つのボックスは、１２フィートコンテナが２つ以上組み合わせられて、２０フィートコンテナが２つ以上組み合わせられて、または３０フィートコンテナが２つ以上組み合わせられて、前記１つの空間を形成するように構成されている、ことを特徴とするコンテナボックスである。
【００１２】
本発明によれば、１つの空間を具備する１つのボックスが、規格化されている２つ以上のコンテナにより構成される。したがって、本発明に係るコンテナボックスは、汎用性に優れ、設置作業や撤去作業などを容易に行うことができる。
【００１３】
また、本発明によれば、４０フィートコンテナではなく、１２フィートコンテナや２０フィートコンテナや３０フィートコンテナが用いられるため、コンテナの設置作業や撤去作業などを容易に行ってコンテナボックスを構築することができる。また、本発明によれば、１２フィートコンテナや２０フィートコンテナや３０フィートコンテナが２つ以上用いられるため、自動車や台車などの乗り入れが容易なコンテナボックスを構築することができる。
【００１４】
１２フィートコンテナ、２０フィートコンテナ、３０フィートコンテナは、規格化されているものであれば特に限定されるものではないが、ＩＳＯに準拠した海上コンテナやＪＩＳに準拠した鉄道コンテナであることが好ましい。なお、コンテナとして、中古の海上コンテナや中古の鉄道コンテナを用いれば、資源の再利用やコストダウンなどを図ることができ、好ましい。
【００１５】
なお、１２フィートコンテナ、２０フィートコンテナは、３０フィートコンテナよりも設置作業や撤去作業を容易に行うことができるため、本発明において好ましく利用することができる。
【００１６】
また、本発明によれば、２つ以上の１２フィートコンテナや２０フィートコンテナや３０フィートコンテナを、土地に半恒久的に定着させることなく、例えば隣接して設置することにより、１つのボックスが構成される。したがって、本発明によれば、設置作業や撤去作業などが容易なコンテナボックスを構築することができる。
【００１７】
また、本発明は、開口及び１つの空間を具備する１つのボックスと、前記１つのボックスが具備する開口を遮蔽する遮蔽手段と、を備え、前記１つのボックスは、１２フィートコンテナ、２０フィートコンテナ、および３０フィートコンテナのうちの２種以上が組み合わせられて、前記１つの空間を形成するように構成されている、ことを特徴とするコンテナボックスである。
このようにすれば、コンテナボックスの形状に、用途や場所などに応じた多様性をより一層持たせることができ、好ましい。
【００１８】
上記した本発明に係るコンテナボックスは、シアター、倉庫、ガレージ、または店舗などとして用いることができる。
あらゆる業種で競争が激化している近年は、中小企業や個人事業主などを中心にして、事業の多角化や本業とのシナジー効果などという視点から、シアター、倉庫、ガレージ、または店舗（特に小店舗）などを設置などしたいという需要が旺盛に存在すると考えられる。
しかしながら、現在、シアター、倉庫、ガレージ、または店舗（特に小店舗）などは、これらを設置などするのに結構な費用を要しており、費用対効果や投資収益率などの観点から、その大部分が導入を見送られている。また、費用を極力抑えてこれらの施設を導入する場合には、プレハブなどを用いざるを得ないので、そのままでは企業や事業のイメージを損ないかねず、結局のところ、多額の追加投資を行って、これらの施設に手を加えなければならないという問題があった。
しかしながら、本発明に係るコンテナボックスは、コンテナを中心に構成されているため、設置に要する費用などが安く、また、これにペンキを塗るなどの簡易な手入れを施せば、上記の需要を満足させる程度に、立派な外観を持たせることができる。
本発明に係るコンテナボックスは、設置などの費用を抑える一方で、利便性や外観などを損なわないようにすべく、１２フィートコンテナや２０フィートコンテナや３０フィートコンテナを２つ以上組み合わせるようにして、１つの空間を形成するようにしたものであり、シアター、倉庫、ガレージ、または店舗などとして最適に用いることができる。
【発明の効果】
【００１９】
本発明によれば、設置作業や撤去作業を容易に行うことができ、また、自動車や台車などの乗り入れなどを容易に行うことができるコンテナボックスを提供することができる。
【発明を実施するための最良の形態】
【００２０】
以下に、添付した図面を参照しつつ、本発明を実施するための最良の形態を詳細に説明する。
【００２１】
図１は、本発明の実施の形態に係るコンテナシアターの斜視図である。図１（ｂ）では、実施の形態の理解を容易にすべく、図１（ａ）で示したコンテナシアター１００の一部を透視している。
【００２２】
図１に示すように、本発明の実施の形態に係るコンテナシアター１００は、自動車２００の乗り入れが可能な１つのボックス１０を備えている。この１つのボックス１０は、自動車２００を乗り入れ可能な開口１０−１を具備しており、実施の形態に係るコンテナシアター１００では、この開口１０−１から１つのボックス１０内に乗り入れた自動車２００に乗車した状態で、映画やコンサートなどの映像を鑑賞することができる。
【００２３】
１つのボックス１０の内側壁及び天井には、それぞれ、スクリーン２０と映写装置の一例であるプロジェクタ３０とが取り付けられており、プロジェクタ３０からスクリーン２０に映像が映し出される。また、１つのボックス１０が具備する開口１０−１には、この開口１０−１を遮蔽するシャッター４０が取り付けられている。シャッター４０は、遮蔽手段の一例である。
【００２４】
１つのボックス１０が具備する開口１０−１の近傍には、スロープ５０が設置されており、自動車２００は、このスロープ５０を通過して、１つのボックス１０に乗り入れられる。
【００２５】
スロープ５０の両脇には案内棒６０が設けられており、これら案内棒６０の間に収まるように自動車２００を１つのボックス１０内に乗り入れれば、自動車２００を１つのボックス１０内に安全に乗り入れることができる。
【００２６】
次に、本発明の実施の形態に係るコンテナシアター１００の要部を詳細に説明する。
【００２７】
（１つのボックス１０）
図２は、１つのボックス１０の概略構成を示す図である。図２（ａ）は正面図、図２（ｂ）は平面図、図２（ｃ）は背面図、図２（ｄ）は左側面図、図２（ｅ）は右側面図である。図２と上記した図１を参照しつつ、１つのボックス１０の概略構成について説明する。
１つのボックス１０は、自動車２００の乗り入れが可能な開口１０−１と、この開口１０−１から乗り入れた自動車２００を収容可能な１つの空間１０−２を具備している。この１つのボックス１０は、自動車２００を収容可能な１つの空間１０−２を形成する２つの２０フィートコンテナ１１、１２により構成されている。２つの２０フィートコンテナ１１、１２は、長手方向及び短手方向の一側壁をそれぞれ切断されており、長手方向の切断面を向かい合わせられて隣接して設置されている。自動車２００の乗り入れが可能な開口１０−１は、隣接後、各コンテナ１１、１２における短手方向の切断面によって形成されている。１つのボックス１０の右側壁には、入出口１２−１が形成されており、入出口１２−１から１つのボックス１０内に出入りすることができる。
【００２８】
（スクリーン２０）
スクリーン２０は、１つのボックス１０において、開口１０−１とは反対側の内側壁に取り付けられており、プロジェクタ３０からの映像が映し出される。
【００２９】
（プロジェクタ３０）
プロジェクタ３０は、映写装置の一例であり、１つのボックス１０の天井に取り付けられている。
【００３０】
（シャッター４０）
シャッター４０は、遮蔽手段の一例であり、１つのボックス１０が具備する開口１０−１を遮蔽するものである。このシャッター４０は、その下部がグリル状とされて開放されている。これにより、１つのボックス１０の奥に取り付けられたスクリーン２０に映し出される映像を乱すことなく、１つのボックス１０内の換気を図ることができる。
【００３１】
次に、図３を参照しつつ、本発明の実施の形態に係るコンテナシアター１００の製造方法を詳細に説明する。図３は、本発明の実施の形態に係るコンテナシアター１００の製造方法を示す図である。
【００３２】
図３（ａ）に示すように、まず、２つの２０フィートコンテナ１１、１２が用意される。図３においては、これら２０フィートコンテナ１１、１２の左側壁を１１ａ、１２ａで示し、背壁を１１ｂ、１２ｂで示し、右側壁を１１ｃ、１２ｃで示し、前壁を１１ｄ、１２ｄで示している。
次に、図３（ｂ）に示すように、この２つの２０フィートコンテナ１１、１２の長手方向の一側壁（右側壁１１ｃ、左側壁１２ａ）及び短手方向の一側壁（前壁１１ｄ、前壁１２ｄ）がそれぞれ切断される。ここで、長手方向の一側壁（右側壁１１ｃ、左側壁１２ａ）は全て切断され、短手方向の一側壁（前壁１１ｄ、前壁１２ｄ）は一部が切断される。
なお、図３（ｂ）においては、短手方向の一側壁（前壁１１ｄ、前壁１２ｄ）において、切断後に残された部分を、１１ｄ´、１２ｄ´で示している。
次に、図３（ｃ）に示すように、２つの２０フィートコンテナ１１、１２が長手方向の切断面（右側壁１１ｃ、左側壁１２ａが存在した面）を向かい合わせられて隣接して設置される。これにより、１つのボックス１０が構成され、自動車２００を収容可能な１つの空間１０−２が形成される。また、自動車２００の乗り入れが可能な開口１０−１が、各コンテナ１１、１２における短手方向の切断面（前壁１１ｄ、前壁１２ｄが存在した面）によって形成される。
そして、１つのボックス１０の近傍にスロープ５０が設置され、このスロープ５０の両脇に案内棒６０が設置される。また、１つのボックス１０の開口１０−１にシャッター４０が設置される。
【００３３】
次に、図４を参照しつつ、本発明の実施の形態に係るコンテナシアター１００に自動車２００を乗り入れる様子について説明する。図４は、本発明の実施の形態に係るコンテナシアターに自動車を乗り入れる様子を説明する図である。
図４（ａ）に示すように、シャッター４０は、自動車２００が１つのボックス１０に乗り入れられる前は閉じている。
図４（ｂ）に示すように、シャッター４０を開けると、２つの案内棒６０の間に収まるようにして自動車２００を１つのボックス１０内に乗り入れることが可能となる。
図４（ｃ）に示すように、自動車２００を１つのボックス１０に完全に乗り入れた後は、シャッター４０を閉じる。
【００３４】
以上説明したように、本発明の実施の形態に係るコンテナシアターによれば、スクリーン２０やプロジェクタ３０などが１つのボックス１０内に取り付けられるところ、この１つのボックス１０は、ＩＳＯに準拠した２つの２０フィートコンテナ１１、１２により構成される。したがって、本発明の実施の形態に係るコンテナシアター１００によれば、汎用性に優れ、設置作業や撤去作業などを容易に行うことができるシアターを構築することができる。
【００３５】
また、本発明の実施の形態に係るコンテナシアター１００によれば、２０フィートコンテナ１１、１２が用いられるため、コンテナの設置作業や撤去作業などを容易に行ってシアターを構築することができる。また、本発明の実施の形態に係るコンテナシアターによれば、２０フィートコンテナ１１、１２が２つ用いられるため、自動車の乗り入れも容易なシアターを構築することができる。
【００３６】
また、本発明の実施の形態に係るコンテナシアター１００によれば、２つの２０フィートコンテナ１１、１２が、土地に半恒久的に定着されることなく、隣接して設置されることにより、１つのボックス１０が構成される。したがって、本発明の実施の形態に係るコンテナシアター１００によれば、設置作業や撤去作業などが容易なシアターを構築することができる。
【００３７】
なお、２０フィートコンテナ１１、１２として、ＩＳＯに準拠した中古の海上コンテナやＪＩＳに準拠した中古の鉄道コンテナを用いれば、資源の再利用やコストダウンなどを図ることができ、好ましい。
【００３８】
以下、本発明の実施の形態に係るコンテナシアター１００の変形例について説明する。
【００３９】
上記した実施の形態では、下部がグリル状に開放されたシャッター４０によって、１つのボックス１０の開口１０−１が遮蔽されたが、この開口１０−１は、シャッター４０により、自動車２００のタイヤを外部から見ることができる程度に遮蔽されることもできる。このようにすれば、下部がグリル状に開放されたシャッター４０を用いなくても、１つのボックス１０の奥に取り付けられたスクリーン２０に映し出される映像を乱すことなく、１つのボックス１０内の換気を図ることができる。
【００４０】
上記した実施の形態では、遮蔽手段の一例としてシャッター４０を用いたが、遮蔽手段としては、例えば、光を遮蔽するカーテンやシートシャッターなどを用いることもできる。
また、１つのボックス１０の内側に光を遮蔽するカーテンを設置し、外側に電動又は手動のシャッターを設置することもできる。この場合、１つのボックス１０の開口１０−１を、営業時間中はカーテンにより遮蔽することとし、営業時間外はシャッターにより遮蔽することとする。
【００４１】
図５に示すように、隣接された２つの２０フィートコンテナ１１、１２の隣接部分には、小屋根部７０を設置することが好ましい。このようにすれば、２つの２０フィートコンテナ１１、１２の隣接部分から１つのボックス１０内に、光や雨水などが入ることが防止される。
【００４２】
上記した実施の形態では、スクリーン２０を１つのボックス１０の内側壁に取り付け、プロジェクタ３０を１つのボックス１０の天井に取り付けることとしたが、スクリーン２０やプロジェクタ３０は、内側壁や天井以外の部分に設置することもできる。
【００４３】
上記した実施の形態において、２０フィートコンテナは、ＩＳＯやＪＩＳに準拠したものであることが好ましいが、ＩＳＯやＪＩＳに準拠していないものであっても、所定の基準に従って規格化されているものであれば、上記２０フィートコンテナとして用いることができる。
【００４４】
次に、図６を参照しつつ、本発明の他の実施の形態に係るコンテナ倉庫について説明する。図６は、本発明の他の実施の形態に係るコンテナ倉庫の概略構成を示す斜視図である。
図６に示すように、本発明の実施の形態に係るコンテナ倉庫においても、２つの２０フィートコンテナ１１、１２が用いられる。一方のコンテナ１１は、長手方向の一側壁を切断されており、他方の２０フィートコンテナ１２は、長手方向の両側壁が切断されている。他方の２０フィートコンテナ１２における長手方向の一側壁は一部分だけが切断されており、切断された部分が開口１０−１となる。一方の２０フィートコンテナ１１と他方の２０フィートコンテナ１２とは、長手方向の切断面を向かい合わせられて隣接して設置されている。このコンテナ倉庫においては、開口１０−１の先に１つの空間１０−２が形成されており、この１つの空間１０−２に荷物や貨物などを保管することができる。
【００４５】
なお、１つの空間１０−２を具備する１つのボックス１０は、上記で説明したように、２つの２０フィートコンテナにより構成されていることが好ましいが、本発明においては、２つ以上の２０フィートコンテナを用いて１つの空間を具備する１つのボックスを構成することもできる。この場合、たとえば、長手方向の一側壁が切断された１つの２０フィートコンテナ（第１のコンテナ）に、長手方向の両側壁が切断された２つ以上の２０フィートコンテナ（第２のコンテナ）を隣接して設置し、これに続けて、両側壁が切断された１つの２０フィートコンテナ（第３のコンテナ）を隣接して設置する。このようにすれば、第１のコンテナ、第２のコンテナ、及び第３のコンテナという３種類の２０フィートコンテナによって、１つの空間を具備する１つのボックスを構成することができる。このような１つのボックスは、特にコンテナ倉庫として好ましく利用することができる。なお、第３のコンテナにおいて、両側壁のうちの一方は全部が切断され、他方は一部が切断され、一部を切断された側壁に形成される開口を介して、荷物や貨物などの搬入や人の出入りなどが可能となる。
【００４６】
以上説明した実施の形態においては、コンテナとして、２０フィートコンテナを用いたが、本発明においては、１２フィートコンテナや、３０フィートコンテナを用いることもできる。
【００４７】
なお、１２フィートコンテナ、２０フィートコンテナは、３０フィートコンテナよりも設置作業や撤去作業を容易に行うことができるため、本発明において好ましく利用することができる。
【００４８】
また、以上説明した実施の形態においては、１つのボックスが、２つの２０フィートコンテナを組み合わせられて１つの空間を形成するように構成される場合について説明したが、本発明においては、１つのボックスが、１２フィートコンテナ、２０フィートコンテナ、および３０フィートコンテナのうちの２種以上が組み合わせられて１つの空間を形成するように構成されていてもよい。
【００４９】
１２フィートコンテナや、２０フィートコンテナや、３０フィートコンテナは、規格化されているものであれば特に限定されるものではなく、この規格化は、たとえば、コンテナボックスを生産、販売、または運営する者などにより行うことができる。
しかしながら、たとえば、ＩＳＯに準拠した海上コンテナやＪＩＳに準拠した鉄道コンテナを用いる場合には、コンテナボックスを生産、販売、または運営する者などによって規格化する手間が省けるので、好ましい。なお、２０フィートコンテナとしては、ＩＳＯに準拠した海上コンテナやＪＩＳに準拠した鉄道コンテナを用いることができ、１２フィートコンテナや３０フィートコンテナとしては、ＪＩＳに準拠した鉄道コンテナなどを用いることができる。
【００５０】
また、上記した実施の形態においては、コンテナボックスを、シアター、倉庫として用いた場合について説明したが、本発明に係るコンテナボックスは、シアターや倉庫としてのみならず、ガレージや店舗などとして用いることもできる。
あらゆる業種で競争が激化している近年は、中小企業や個人事業主などを中心にして、事業の多角化や本業とのシナジー効果などという視点から、シアター、倉庫、ガレージ、または店舗（特に小店舗）などを設置などしたいという需要が旺盛に存在すると考えられる。
しかしながら、現在、シアター、倉庫、ガレージ、または店舗（特に小店舗）などは、これらを設置などするのに結構な費用を要しており、費用対効果や投資収益率などの観点から、その大部分が導入を見送られている。また、費用を極力抑えてこれらの施設を導入する場合には、プレハブなどを用いざるを得ないので、そのままでは企業や事業のイメージを損ないかねず、結局のところ、多額の追加投資を行って、これらの施設に手を加えなければならないという問題があった。
しかしながら、本発明に係るコンテナボックスは、コンテナを中心に構成されているため、設置に要する費用などが安く、また、これにペンキを塗るなどの簡易な手入れを施せば、上記の需要を満足させる程度に、立派な外観を持たせることができる。
本発明に係るコンテナボックスは、設置などの費用を抑える一方で、利便性や外観などを損なわないようにすべく、１２フィートコンテナや２０フィートコンテナや３０フィートコンテナを２つ以上組み合わせるようにして、１つの空間を形成するようにしたものであり、シアター、倉庫、ガレージ、または店舗などとして最適に用いることができる。
【００５１】
なお、本発明においては、上記したコンテナボックスの上部にコンテナを載置したり、コンテナボックスの側部にコンテナを隣接させたりして、コンテナ施設を構築することができる。このようなコンテナ施設によれば、上記したコンテナボックスをシアター、倉庫、ガレージ、または店舗などとして用いる一方で、上部に載置されたコンテナや側部に隣接されたコンテナを事務所や住居などとして用いることができ、小資本にて事業を営みたいものにとって、好ましい事業スペースを提供することが可能となる。
【００５２】
以上、本発明の実施の形態について説明したが、これらの説明は本発明の一例に関する説明であり、本発明は上記説明によって何ら限定されるものではない。
【００５３】
本発明は、次の付記を有する。
【００５４】
（付記１）
開口及び１つの空間を具備する１つのボックスと、前記１つのボックスが具備する開口を遮蔽する遮蔽手段と、を備え、
前記１つのボックスは、１２フィートコンテナが２つ組み合わせられて、２０フィートコンテナが２つ組み合わせられて、または３０フィートコンテナが２つ組み合わせられて、前記１つの空間を形成するように構成されており、
２つのコンテナは、長手方向及び短手方向の一側壁をそれぞれ切断されて前記長手方向の切断面を向かい合わせて隣接され、
前記開口は、前記隣接後、各コンテナにおける前記短手方向の切断面によって形成されている、
ことを特徴とするコンテナボックス。
【００５５】
（付記２）
開口及び１つの空間を具備する１つのボックスと、前記１つのボックスが具備する開口を遮蔽する遮蔽手段と、を備え、
前記１つのボックスは、１２フィートコンテナが２つ組み合わせられて、２０フィートコンテナが２つ組み合わせられて、または３０フィートコンテナが２つ組み合わせられて、前記１つの空間を形成するように構成されており、
前記２つのコンテナにおける一方のコンテナは、長手方向における一側壁を切断され、
前記２つのコンテナにおける他方のコンテナは、長手方向における両側壁を切断され、
前記一方のコンテナと前記他方のコンテナとは、前記長手方向の切断面を向かい合わせて隣接され、
前記開口は、前記隣接後、前記他方のコンテナにおける前記長手方向の２つの切断面のうちの一方によって形成されている、
ことを特徴とするコンテナボックス。
【００５６】
（付記３）
開口及び１つの空間を具備する１つのボックスと、前記１つのボックスが具備する開口を遮蔽する遮蔽手段と、を備え、
前記１つのボックスは、
長手方向の一側壁が切断された１つの第１のコンテナと、
前記第１のコンテナに隣接して配置される長手方向の両側壁が切断された２つ以上の第２のコンテナと、
前記第２のコンテナに隣接して配置される両側壁が切断された１つの第３のコンテナと、
を具備し、
前記第１のコンテナ、前記第２のコンテナ、および前記第３のコンテナは、１２フィートコンテナ、２０フィートコンテナ、または３０フィートコンテナである、
ことを特徴とするコンテナボックス。
【００５７】
（付記４）
開口及び１つの空間を具備する１つのボックスと、前記１つのボックスが具備する開口を遮蔽する遮蔽手段と、を備え、
前記１つのボックスは、１２フィートコンテナ、２０フィートコンテナ、および３０フィートコンテナのうちの２種以上が組み合わせられて、前記１つの空間を形成するように構成されている、
ことを特徴とするコンテナボックス。
【００５８】
（付記５）
シアター、倉庫、ガレージ、または店舗である付記１〜付記４のいずれか１つに記載のコンテナボックス。
【産業上の利用可能性】
【００５９】
本発明は、様々な用途に利用することができるが、特に、コンテナシアターやコンテナ倉庫やコンテナガレージやコンテナ店舗などとしての利用に適している。
【図面の簡単な説明】
【００６０】
【図１】本発明の実施の形態に係るコンテナシアターの斜視図である。
【図２】１つのボックスの概略構成を示す図である。
【図３】本発明の実施の形態に係るコンテナシアターの製造方法を示す図である。
【図４】本発明の実施の形態に係るコンテナシアターに自動車を乗り入れる様子を説明する図である。
【図５】本発明の実施の形態に係るコンテナシアターに小屋根部を設置した様子を示す図である。
【図６】本発明の他の実施の形態に係るコンテナ倉庫の概略構成を示す斜視図である。
【００６１】
１００    コンテナシアター
１０    ボックス
１０−１    開口
１０−２    空間
１１    コンテナ
１１ａ〜１１ｄ    側壁
１２    コンテナ
１２ａ〜１２ｄ    側壁
１２−１    入出口
２０    スクリーン
３０    プロジェクタ
４０    シャッター
５０    スロープ
６０    案内棒
７０    小屋根部
２００    自動車
【図１】
2008208698.tif 000003
【図２】
2008208698.tif 000004
【図３】
2008208698.tif 000005
【図４】
2008208698.tif 000006
【図５】
2008208698.tif 000007
【図６】
2008208698.tif 000008